【手続補正書】
【提出日】平成22年5月19日(2010.5.19)
【手続補正１】
【補正対象書類名】特許請求の範囲
【補正対象項目名】全文
【補正方法】変更
【補正の内容】
【特許請求の範囲】
【請求項１】
式（１）：
【化１】
2010506990.tif 000001
［式中、Ａは、任意的に置換されてよいアリール、ヘテロアリール、非芳香族ヘテロ環式又はアルケニル基であり；
Ｄは、任意的に置換されてよく、任意的に金属化されてよい1,8-ジヒドロキシナフタレン基であり；
Ｂは、任意的に置換されてよい有機結合基であり；
Ａ’は、ピラゾリル環の窒素原子のいずれか一方に直接結合した置換基として芳香族基を有しない、任意的に置換されてよいピラゾリル基である。］
で表される化合物又はその塩。
【請求項２】
Ａが、任意的に置換されてよいフェニル又はナフチルである、請求項１に記載の化合物又は塩。
【請求項３】
Ａが、少なくとも１つのスルホ基を有する、請求項１又は２に記載の化合物又は塩。
【請求項４】
Ｄが、式（３）：
【化２】
2010506990.tif 000002
［式中、ａは、１又は２である。］
で表される化合物又はその金属錯体である、請求項１〜３のいずれか１項に記載の化合物又は塩。
【請求項５】
Ｄが金属化されていない、請求項１〜４のいずれか１項に記載の化合物又は塩。
【請求項６】
Ｂが、式（７）：
【化３】
2010506990.tif 000003
［式中、Ｌ１は、共有単結合、又は、任意的に置換されてよいフェニレン若しくはナフチレン基であり；
Ｌ２は、任意的に置換されてよいフェニレン又はナフチレン基であり；
Ｇは、-O-、-NR2-、-N=N-、-NR2-CO-、-NR2CONR2-、-S-、-SO-、-SO2-、-SO2NR2-又は-CR2=CR2-であり、ここで、各Ｒ２は、独立に、H又はC1-4アルキルであり；
ｘは、０、１又は２である。］
を有する、請求項１〜５のいずれか１項に記載の化合物又は塩。
【請求項７】
Ｂが、任意的に置換されてよいフェニレン又はナフチレン基である、請求項６に記載の化合物又は塩。
【請求項８】
Ｂが、少なくとも１つのスルホ基を有する、請求項１〜７のいずれか１項に記載の化合物又は塩。
【請求項９】
Ａ’が、式（８ａ），（８ｂ），又は(８ｃ)：
【化４】
2010506990.tif 000004
［式中、Ｒ３、又は、２つのR3基が存在する場合に独立に各Ｒ３は、H、任意的に置換されてよいアルキル、シアノ、-COOR1、-CONR1NR2又は-COR1であり；
Ｒ４は、H、任意的に置換されてよいアルキル、任意的に置換されてよいアルコキシ、任意的に置換されてよいアリール、任意的に置換されてよいヘテロアリール、任意的に置換されてよいアリールオキシ、任意的に置換されてよいアミノ、ハロゲン、シアノ、ヒドロキシル、ニトロ、スルホ、ホスファト、-COOR1、-OCOOR1、-OCOR1、-COR1、-CONR1R2、-OCONR1R2、-SR1、-SO2NR1R2又は-SO2R1であり；
Ｒ１及びＲ２は、各々、独立に、H又はC1-4アルキルである。］
で表されるピラゾリル基である、請求項１〜８のいずれか１項に記載の化合物又は塩。
【請求項１０】
Ｒ３、又は、２つのＲ３基が存在する場合に独立に各Ｒ３が、H、又は、任意的に置換されてよいC1-4アルキルである、請求項９に記載の化合物又は塩。
【請求項１１】
Ｒ４が、H、任意的に置換されてよいC1-4アルキル、COOH又はCONH2である、請求項９又は１０に記載の化合物又は塩。
【請求項１２】
Ａが、任意的に置換されてよいフェニル、ナフチル、ピリジル又はピラゾリルであり；
Ｄが、式（３）：
【化５】
2010506990.tif 000005
［式中、ａは、１又は２である。］
で表される基、又はその金属錯体であり；
Ｂが、式（７）：
【化６】
2010506990.tif 000006
［式中、Ｌ１は、共有単結合、又は、任意的に置換されてよいフェニレン若しくはナフチレン基であり；
Ｌ２は、任意的に置換されてよいフェニレン又はナフチレン基であり；
Ｇは、-O-、-NR2-、-N=N-、-NR2-CO-、-NR2CONR2-、-S-、-SO-、-SO2-、-SO2NR2-又は-CR2=CR2-であり、ここで、各Ｒ２は、独立に、H又はC1-4アルキルであり；
ｘは、０、１又は２である。］
で表され；
Ａ’が、式（８ａ），（８ｂ），又は（８ｃ）：
【化７】
2010506990.tif 000007
［式中、Ｒ３、又は、２つのＲ３基が存在する場合に独立に各Ｒ３は、H、任意的に置換されてよいアルキル、シアノ、-COOR1、又は-COR1であり；
Ｒ４は、H、任意的に置換されてよいアルキル、任意的に置換されてよいアルコキシ、任意的に置換されてよいアリール、任意的に置換されてよいヘテロアリール、任意的に置換されてよいアリールオキシ、任意的に置換されてよいアミノ、ハロゲン、シアノ、ヒドロキシル、ニトロ、スルホ、ホスファト、-COOR1、-OCOOR1、-OCOR1、-COR1、-CONR1R2、-OCONR1R2、-SR1、-SO2NR1R2又は-SO2R1であり、ここで、Ｒ１及びＲ２は、各々、独立に、H又はC1-4アルキルである。］
で表されるピラゾリル基である、請求項１〜１１のいずれか１項に記載の化合物又はその塩。
【請求項１３】
Ａが、任意的に置換されてよいフェニル又はナフチルであり；
Ｄが、式（４）：
【化８】
2010506990.tif 000008
で表される基、又はその金属錯体であり；
Ｂが、任意的に置換されてよいフェニレン又はナフチレン基であり；
Ａ’が、式（８ａ）：
【化９】
2010506990.tif 000009
［式中、Ｒ３は、H、又は、任意的に置換されてよいC1-4アルキルであり；
Ｒ４は、H、任意的に置換されてよいC1-4アルキル、COOH又はCONH2である。］
で表されるピラゾリル基である、請求項１２に記載の化合物又は塩。
【請求項１４】
式（９）：
【化１０】
2010506990.tif 000010
［式中、Ｒ５及びＲ６は、独立に、H、任意的に置換されてよいアルキル、任意的に置換されてよいアルコキシ、任意的に置換されてよいアリール、任意的に置換されてよいヘテロアリール、任意的に置換されてよいアリールオキシ、任意的に置換されてよいアミノ、ハロゲン、シアノ、ヒドロキシル、ニトロ、スルホ、ホスファト、アリールアゾ、-COOR1、-OCOOR1、-OCOR1、-COR1、-CONR1R2、-OCONR1R2、-SR1、-SO2NR1R2及びSO2R1から選択され、Ｒ１及びＲ２は、各々、独立に、H又はC1-4アルキルである。］
で表される化合物又はその塩である、請求項１３に記載の化合物又は塩。
【請求項１５】
式（１０）：
【化１１】
2010506990.tif 000011
で表される化合物又はその塩である、請求項１４に記載の化合物又は塩。
【請求項１６】
リチウム、ナトリウム、カリウム、アンモニウムもしくは置換アンモニウム塩、又はそれらの混合された塩である、請求項１〜１５のいずれか１項に記載の塩。
【請求項１７】
請求項１〜１６のいずれか１項に記載された、本明細書の実施例１〜２２のいずれか１つに記載の化合物又は塩。
【請求項１８】
（ａ）  式（１）：
【化１２】
2010506990.tif 000012
［式中、Ａは、任意的に置換されてよいアリール、ヘテロアリール、非芳香族ヘテロ環式又はアルケニル基であり；
Ｄは、任意的に置換されてよく、任意的に金属化されてよい1,8-ジヒドロキシナフタレン基であり；
Ｂは、任意的に置換されてよい有機結合基であり；
Ａ’は、ピラゾリル環の窒素原子のいずれか一方に直接結合した置換基として芳香族基を有しない、任意的に置換されてよいピラゾリル基である。］
で表される化合物又はその塩    0.01〜30部；及び、
（ｂ）  液体媒体又は低融点固体媒体    70〜99.99部を含み、
全ての部は重量部であり、且つ、部の数に関し（ａ）＋（ｂ）＝１００であることを特徴とする、組成物。
【請求項１９】
液体媒体が水及び有機溶剤を含み、且つ、組成物がインクジェット印刷インクとして使用される、請求項１８に記載の組成物。
【請求項２０】
支持体に画像を印刷するための方法であって、式（１）：
【化１３】
2010506990.tif 000013
［式中、Ａは、任意的に置換されてよいアリール、ヘテロアリール、非芳香族ヘテロ環式又はアルケニル基であり；
Ｄは、任意的に置換されてよく、任意的に金属化されてよい1,8-ジヒドロキシナフタレン基であり；
Ｂは、任意的に置換されてよい有機結合基であり；
Ａ’は、ピラゾリル環の窒素原子のいずれか一方に直接結合した置換基として芳香族基を有しない、任意的に置換されてよいピラゾリル基である。］
で表される化合物又はその塩及び液体媒体を含む組成物を支持体に塗布することを含む方法。
【請求項２１】
組成物がインクジェットプリンターにより塗布される、請求項２０に記載の方法。
【請求項２２】
請求項２０若しくは２１に記載の方法により、又は、請求項１８若しくは１９に記載の組成物を用いて印刷される支持体。
【請求項２３】
任意的に再充填可能なインクジェットプリンターカートリッジであって、１個以上のチャンバー及び組成物を含み、該組成物がチャンバーの少なくとも１個に存在し、かつ、該組成物が請求項１８又は１９に記載の組成物である、カートリッジ。
【請求項２４】
少なくともブラックインク、マゼンタインク、シアンインク及びイエローインクを含み、該ブラックインクが、請求項１〜１７のいずれか１項に記載の化合物又は塩を含む、インクセット。